(57)【要約】  本発明では、背面パーツ（１０）、座面パーツ（２０）、左肘掛パーツ（３０）、及び、右肘掛パーツ（４０）の全てが、組立前でも組立後の姿勢で自立可能となっている。また、左肘掛パーツ（３０）の左凹部（３６、３９）、右肘掛パーツ（４０）の左凹部（４６、４９）、及び、背面パーツ（１０）の背面凹部（１６）においてボルトによる連結作業が行われるため、各パーツを床面に対して摺らせて移動させるだけで、すなわち、各パーツを裏返したり横転させたりする必要無く、ボルトによる連結作業を実現することができる。また、連結作業後のボルトの頭部が各外側生地（１７、３７、４７）内部の各凹部に収められることにより、美観上の問題が生じることもない。また、本発明の構成は、コスト面でも十分に実用に耐える。
2015536202.tif 000002
【特許請求の範囲】
【請求項１】
組立前でも組立後の姿勢で自立可能な背面パーツと、
組立前でも組立後の姿勢で自立可能な座面パーツと、
組立前でも組立後の姿勢で自立可能な左肘掛パーツと、
組立前でも組立後の姿勢で自立可能な右肘掛パーツと、
を備え、
前記座面パーツの左側面には、前記左肘掛パーツを締結するための左ボルト孔が設けられており、
前記座面パーツの右側面には、前記右肘掛パーツを締結するための右ボルト孔が設けられており、
前記座面パーツの背面には、前記背面パーツを締結するための背面ボルト孔が設けられており、
前記左肘掛パーツには、前記座面パーツの左側面の左ボルト孔に対応する左ボルト貫通孔と、当該左ボルト貫通孔に対応する左ボルトの頭部を収めることができる左凹部と、前記左凹部を覆うと共に剥離可能な左外側生地と、が設けられており、
前記右肘掛パーツには、前記座面パーツの右側面の右ボルト孔に対応する右ボルト貫通孔と、当該右ボルト貫通孔に対応する右ボルトの頭部を収めることができる右凹部と、前記右凹部を覆うと共に剥離可能な右外側生地と、が設けられており、
前記背面パーツには、前記座面パーツの背面の背面ボルト孔に対応する背面ボルト貫通孔と、当該背面ボルト貫通孔に対応する背面ボルトの頭部を収めることができる背面凹部と、前記背面凹部を覆うと共に剥離可能な背面外側生地と、が設けられている
ことを特徴とする組立式ソファ。
【請求項２】
前記左外側生地は、前記左凹部の周縁に対して、面ファスナーによって剥離及び再密着可能であり、
前記右外側生地は、前記右凹部の周縁に対して、面ファスナーによって剥離及び再密着可能であり、
前記背面外側生地は、前記背面凹部の周縁に対して、面ファスナーによって剥離及び再密着可能である
ことを特徴とする請求項１に記載の組立式ソファ。
【請求項３】
前記背面パーツの左側面には、前記左肘掛パーツを締結するための第２左ボルト孔が設けられており、
前記背面パーツの右側面には、前記右肘掛パーツを締結するための第２右ボルト孔が設けられており、
前記左肘掛パーツには、前記背面パーツの左側面の第２左ボルト孔に対応する第２左ボルト貫通孔と、当該第２左ボルト貫通孔に対応する第２左ボルトの頭部を収めることができる第２左凹部と、前記第２左凹部を覆うと共に剥離可能な第２左外側生地と、が設けられており、
前記右肘掛パーツには、前記背面パーツの右側面の第２右ボルト孔に対応する第２右ボルト貫通孔と、当該第２右ボルト貫通孔に対応する第２右ボルトの頭部を収めることができる第２右凹部と、前記第２右凹部を覆うと共に剥離可能な第２右外側生地と、が設けられている
ことを特徴とする請求項１または２に記載の組立式ソファ。
【請求項４】
前記第２左外側生地は、前記第２左凹部の周縁に対して、面ファスナーによって剥離及び再密着可能であり、
前記第２右外側生地は、前記第２右凹部の周縁に対して、面ファスナーによって剥離及び再密着可能である
ことを特徴とする請求項３に記載の組立式ソファ。
【請求項５】
左外側生地と第２左外側生地とは一体であり、
右外側生地と第２右外側生地とは一体である
ことを特徴とする請求項３または４に記載の組立式ソファ。
【請求項６】
組立前でも組立後の姿勢で自立可能な背面パーツと、
組立前でも組立後の姿勢で自立可能な座面パーツと、
を備え、
前記座面パーツの背面には、前記背面パーツを締結するための背面ボルト孔が設けられており、
前記背面パーツには、前記座面パーツの背面の背面ボルト孔に対応する背面ボルト貫通孔と、当該背面ボルト貫通孔に対応する背面ボルトの頭部を収めることができる背面凹部と、前記背面凹部を覆うと共に剥離可能な背面外側生地と、が設けられている
ことを特徴とする組立式ソファ。
【請求項７】
組立前でも組立後の姿勢で自立可能な中央パーツと、
組立前でも組立後の姿勢で自立可能な左肘掛パーツと、
組立前でも組立後の姿勢で自立可能な右肘掛パーツと、
を備え、
前記中央パーツの左側面には、前記左肘掛パーツを締結するための左ボルト孔が設けられており、
前記中央パーツの右側面には、前記右肘掛パーツを締結するための右ボルト孔が設けられており、
前記左肘掛パーツには、前記中央パーツの左側面の左ボルト孔に対応する左ボルト貫通孔と、当該左ボルト貫通孔に対応する左ボルトの頭部を収めることができる左凹部と、前記左凹部を覆うと共に剥離可能な左外側生地と、が設けられており、
前記右肘掛パーツには、前記中央パーツの右側面の右ボルト孔に対応する右ボルト貫通孔と、当該右ボルト貫通孔に対応する右ボルトの頭部を収めることができる右凹部と、前記右凹部を覆うと共に剥離可能な右外側生地と、が設けられている
ことを特徴とする組立式ソファ。
【請求項８】
背面パーツと、
座面パーツと、
左肘掛パーツと、
右肘掛パーツと、
を備え、
前記座面パーツの左側面には、前記左肘掛パーツを締結するための左ボルト孔が設けられており、
前記座面パーツの右側面には、前記右肘掛パーツを締結するための右ボルト孔が設けられており、
前記座面パーツの背面には、前記背面パーツを締結するための背面ボルト孔が設けられており、
前記左肘掛パーツには、前記座面パーツの左側面の左ボルト孔に対応する左ボルト貫通孔と、当該左ボルト貫通孔に対応する左ボルトの頭部を収めることができる左凹部と、前記左凹部を覆うと共に剥離可能な左外側生地と、が設けられており、
前記右肘掛パーツには、前記座面パーツの右側面の右ボルト孔に対応する右ボルト貫通孔と、当該右ボルト貫通孔に対応する右ボルトの頭部を収めることができる右凹部と、前記右凹部を覆うと共に剥離可能な右外側生地と、が設けられており、
前記背面パーツには、前記座面パーツの背面の背面ボルト孔に対応する背面ボルト貫通孔と、当該背面ボルト貫通孔に対応する背面ボルトの頭部を収めることができる背面凹部と、前記背面凹部を覆うと共に剥離可能な背面外側生地と、が設けられている
ことを特徴とする組立式ソファ。
【請求項９】
背面パーツと、
座面パーツと、
を備え、
前記座面パーツの背面には、前記背面パーツを締結するための背面ボルト孔が設けられており、
前記背面パーツには、前記座面パーツの背面の背面ボルト孔に対応する背面ボルト貫通孔と、当該背面ボルト貫通孔に対応する背面ボルトの頭部を収めることができる背面凹部と、前記背面凹部を覆うと共に剥離可能な背面外側生地と、が設けられている
ことを特徴とする組立式ソファ。
【請求項１０】
中央パーツと、
左肘掛パーツと、
右肘掛パーツと、
を備え、
前記中央パーツの左側面には、前記左肘掛パーツを締結するための左ボルト孔が設けられており、
前記中央パーツの右側面には、前記右肘掛パーツを締結するための右ボルト孔が設けられており、
前記左肘掛パーツには、前記中央パーツの左側面の左ボルト孔に対応する左ボルト貫通孔と、当該左ボルト貫通孔に対応する左ボルトの頭部を収めることができる左凹部と、前記左凹部を覆うと共に剥離可能な左外側生地と、が設けられており、
前記右肘掛パーツには、前記中央パーツの右側面の右ボルト孔に対応する右ボルト貫通孔と、当該右ボルト貫通孔に対応する右ボルトの頭部を収めることができる右凹部と、前記右凹部を覆うと共に剥離可能な右外側生地と、が設けられている
ことを特徴とする組立式ソファ。
【発明の詳細な説明】
【技術分野】
【０００１】
本発明は、搬送や保管等のために分解状態とされたパーツをボルト等で連結することで組み立てられるソファに関する。
【背景技術】
【０００２】
従来より、種々の組立式ソファが知られている。組立式ソファは、一般に、搬送や保管等のために分解状態とされたパーツをボルト等で連結することによって組み立てられるようになっている。
【０００３】
しかしながら、従来の組立式ソファは、ボルト等による連結作業の際に、パーツを裏返したり、横転させたりする必要があった。このことは、例えば購入者が高齢者である場合等には、大きな負担であった。
【発明の概要】
【０００４】
組立式ソファにおいて、パーツを梱包材から取り出した後は、床面に対して摺らせて移動させるだけで、できるだけパーツの姿勢を変えないことが好ましい。床面に対して摺らせて移動させるだけなら、購入者が高齢者であっても、十分に作業を行うことができるからである。
【０００５】
しかしながら、パーツの姿勢を変えないでボルト等による連結作業を実現することは、従来は検討されていなかった。なぜなら、美観上の観点から連結作業後のボルトを隠す工夫が必要となり、コスト増が懸念されていたためである。
【０００６】
本件発明者は、そのような状況下で、コスト増を抑制しつつ連結作業後のボルトを隠す工夫について鋭意検討を重ねた。そして、組立式ソファのパーツの外側生地の一部を剥離可能とした上で、パーツに設けた凹部にボルトの頭部を収めるという構成を開発した。
【０００７】
本発明は、以上の知見に基づいて創案されたものである。本発明の目的は、パーツの姿勢を変えないでボルトによる連結作業を実現することができ、且つ、連結作業後のボルトが隠されて美観上の問題が生じないような組立式ソファを提供することである。
【０００８】
本発明は、組立前でも組立後の姿勢で自立可能な背面パーツと、組立前でも組立後の姿勢で自立可能な座面パーツと、組立前でも組立後の姿勢で自立可能な左肘掛パーツと、組立前でも組立後の姿勢で自立可能な右肘掛パーツと、を備え、前記座面パーツの左側面には、前記左肘掛パーツを締結するための左ボルト孔が設けられており、前記座面パーツの右側面には、前記右肘掛パーツを締結するための右ボルト孔が設けられており、前記座面パーツの背面には、前記背面パーツを締結するための背面ボルト孔が設けられており、前記左肘掛パーツには、前記座面パーツの左側面の左ボルト孔に対応する左ボルト貫通孔と、当該左ボルト貫通孔に対応する左ボルトの頭部を収めることができる左凹部と、前記左凹部を覆うと共に剥離可能な左外側生地と、が設けられており、前記右肘掛パーツには、前記座面パーツの右側面の右ボルト孔に対応する右ボルト貫通孔と、当該右ボルト貫通孔に対応する右ボルトの頭部を収めることができる右凹部と、前記右凹部を覆うと共に剥離可能な右外側生地と、が設けられており、前記背面パーツには、前記座面パーツの背面の背面ボルト孔に対応する背面ボルト貫通孔と、当該背面ボルト貫通孔に対応する背面ボルトの頭部を収めることができる背面凹部と、前記背面凹部を覆うと共に剥離可能な背面外側生地と、が設けられていることを特徴とする組立式ソファである。
【０００９】
本発明によれば、背面パーツ、座面パーツ、左肘掛パーツ、及び、右肘掛パーツの全てが組立前でも組立後の姿勢で自立可能となっており、且つ、左肘掛パーツの左凹部、右肘掛パーツの右凹部、及び、背面パーツの背面凹部においてボルトによる連結作業が行われるため、各パーツを床面に対して摺らせて移動させるだけで、すなわち、各パーツを裏返したり横転させたりする必要無く、ボルトによる連結作業を実現することができる。また、連結作業後のボルトの頭部が各外側生地内部の各凹部に収められることにより、美観上の問題が生じることもない。また、本発明の構成は、コスト面でも十分に実用に耐える。
【００１０】
例えば、前記左外側生地は、前記左凹部の周縁に対して、面ファスナーによって剥離及び再密着可能であり、前記右外側生地は、前記右凹部の周縁に対して、面ファスナーによって剥離及び再密着可能であり、前記背面外側生地は、前記背面凹部の周縁に対して、面ファスナーによって剥離及び再密着可能である。面ファスナーは、剥離作業ないし再密着作業が容易であるので、組立作業が容易となる。各外側生地は、その全体が完全に剥離（分離）される必要は無く、例えば、左方、右方、下方の３つの縁部のみが剥離可能であればよい。
【００１１】
また、好ましくは、前記背面パーツの左側面には、前記左肘掛パーツを締結するための第２左ボルト孔が設けられており、前記背面パーツの右側面には、前記右肘掛パーツを締結するための第２右ボルト孔が設けられており、前記左肘掛パーツには、前記背面パーツの左側面の第２左ボルト孔に対応する第２左ボルト貫通孔と、当該第２左ボルト貫通孔に対応する第２左ボルトの頭部を収めることができる第２左凹部と、前記第２左凹部を覆うと共に剥離可能な第２左外側生地と、が設けられており、前記右肘掛パーツには、前記背面パーツの右側面の第２右ボルト孔に対応する第２右ボルト貫通孔と、当該第２右ボルト貫通孔に対応する第２右ボルトの頭部を収めることができる第２右凹部と、前記第２右凹部を覆うと共に剥離可能な第２右外側生地と、が設けられている。
【００１２】
この場合、例えば、前記第２左外側生地は、前記第２左凹部の周縁に対して、面ファスナーによって剥離及び再密着可能であり、前記第２右外側生地は、前記第２右凹部の周縁に対して、面ファスナーによって剥離及び再密着可能である。
【００１３】
また、この場合、左外側生地と第２左外側生地とは一体であり、右外側生地と第２右外側生地とは一体であることが好ましい。
【図面の簡単な説明】
【００１４】
【図１】本発明の一実施の形態の組立式ソファの概略分解図である。
【図２】図１の組立式ソファの組立説明図である。
【図３】図１の組立式ソファの組立完成図である。
【発明を実施するための形態】
【００１５】
以下に、添付の図面を参照して、本発明の実施の形態を詳細に説明する。
【００１６】
図１は、本発明の一実施の形態の組立式ソファ１００の概略分解図であり、図２は、図１の組立式ソファの組立説明図である。図１及び図２に示すように、本実施の形態の組立式ソファ１００は、組立前でも組立後の姿勢で自立（直立）可能な背面パーツ１０と、組立前でも組立後の姿勢で自立可能な座面パーツ２０と、組立前でも組立後の姿勢で自立可能な左肘掛パーツ３０と、組立前でも組立後の姿勢で自立可能な右肘掛パーツ４０と、付属の２つのクッション５０、６０と、を備えている。
【００１７】
座面パーツ２０の左側面２３には、左肘掛パーツ３０を締結するための左ボルト孔２３ａ、２３ｂ、２３ｃが設けられている。逆に、座面パーツ２０の右側面２４には、右肘掛パーツ４０を締結するための右ボルト孔２４ａ、２４ｂ、２４ｃが設けられている。更に、座面パーツ２０の背面２１には、背面パーツ１０を締結するための背面ボルト孔２１ａ、２１ｂ、２１ｃ、２１ｄが設けられている。
【００１８】
左肘掛パーツ３０には、座面パーツ２０の左側面２３の左ボルト孔２３ａ、２３ｂ、２３ｃに対応する左ボルト貫通孔３２ａ、３２ｂ、３２ｃと、当該左ボルト貫通孔３２ａ、３２ｂ、３２ｃに対応する左ボルト３５ａ、３５ｂ、３５ｃの頭部を収めることができる下方左凹部３６と、当該下方左凹部３６を覆うと共に剥離可能な左外側生地３７と、が設けられている。
【００１９】
各左ボルト３５ａ、３５ｂ、３５ｃの頭部を収める下方左凹部３６は、各ボルト毎に設けられてもよいが、本実施の形態では共通の大きな下方左凹部として形成されている。
【００２０】
対称的に、右肘掛パーツ４０には、座面パーツ２０の右側面２４の右ボルト孔２４ａ、２４ｂ、２４ｃに対応する右ボルト貫通孔４２ａ、４２ｂ、４２ｃと、当該右ボルト貫通孔４２ａ、４２ｂ、４２ｃに対応する右ボルト４５ａ、４５ｂ、４５ｃの頭部を収めることができる下方右凹部４６と、当該下方右凹部４６を覆うと共に剥離可能な右外側生地４７と、が設けられている。
【００２１】
各右ボルト４５ａ、４５ｂ、４５ｃの頭部を収める下方右凹部４６は、各ボルト毎に設けられてもよいが、本実施の形態では共通の大きな下方右凹部として形成されている。
【００２２】
略同様の関係で、背面パーツ１０には、座面パーツ２０の背面２１の背面ボルト孔２１ａ、２１ｂ、２１ｃ、２１ｄに対応する背面ボルト貫通孔１２ａ、１２ｂ、１２ｃ、１２ｄと、当該背面ボルト貫通孔１２ａ、１２ｂ、１２ｃ、１２ｄに対応する背面ボルト１５ａ、１５ｂ、１５ｃ、１５ｄの頭部を収めることができる背面凹部１６と、背面凹部１６を覆うと共に剥離可能な背面外側生地１７と、が設けられている。
【００２３】
各背面ボルト１５ａ、１５ｂ、１５ｃ、１５ｄの頭部を収める背面凹部１６は、各ボルト毎に設けられてもよいが、本実施の形態では共通の大きな背面凹部として形成されている。
【００２４】
本実施の形態では、更に、背面パーツ１０の左側面１３に、左肘掛パーツ３０を締結するための第２左ボルト孔１３ａ、１３ｂが設けられており、背面パーツ１０の右側面１４に、右肘掛パーツ４０を締結するための第２右ボルト孔１４ａ、１４ｂが設けられている。
【００２５】
そして、左肘掛パーツ３０には、背面パーツ１０の左側面１３の第２左ボルト孔１３ａ、１３ｂに対応する第２左ボルト貫通孔３１ａ、３１ｂが設けられている。下方の第２左ボルト貫通孔３１ｂに対応する第２左ボルト３８ｂの頭部は、下方左凹部３６に収められるようになっているが、上方の第２左ボルト貫通孔３１ａに対応する第２左ボルト３８ａの頭部は、上方左凹部３９に収められるようになっている。そして、剥離可能な左外側生地３７は、上方左凹部３９をも覆うようになっている。すなわち、請求項中の第２左外側生地は、本実施の形態では左外側生地３７と一体的に構成されている。また、請求項中の第２左凹部は、本実施の形態では、下方左凹部３６の一部と上方左凹部３９とによって構成されていることになる。
【００２６】
対称的に、右肘掛パーツ４０には、背面パーツ１０の右側面１４の第２右ボルト孔１４ａ、１４ｂに対応する第２右ボルト貫通孔４１ａ、４１ｂが設けられている。下方の第２右ボルト貫通孔４１ｂに対応する第２右ボルト４８ｂの頭部は、下方右凹部４６に収められるようになっているが、上方の第２右ボルト貫通孔４１ａに対応する第２右ボルト４８ａの頭部は、上方右凹部４９に収められるようになっている。そして、剥離可能な右外側生地４７は、上方右凹部４９をも覆うようになっている。すなわち、請求項中の第２右外側生地は、本実施の形態では右外側生地４７と一体的に構成されている。また、請求項中の第２右凹部は、本実施の形態では、下方右凹部４６の一部と上方右凹部４９とによって構成されていることになる。
【００２７】
本実施の形態では、左外側生地３７は、下方左凹部３６及び上方左凹部３９の周縁に対して、面ファスナーによって剥離及び再密着可能となっている。具体的には、図２に示すように、下方左凹部３６及び上方左凹部３９を含む領域についてその正面から見て左方、右方、下方の３つの縁部に対応するように剥離及び再密着可能な面ファスナーが設けられている。
【００２８】
対称的に、右外側生地４７は、下方右凹部４６及び上方右凹部４９の周縁に対して、面ファスナーによって剥離及び再密着可能となっている。具体的には、下方右凹部４６及び上方右凹部４９を含む領域についてその正面から見て左方、右方、下方の３つの縁部に対応するように剥離及び再密着可能な面ファスナーが設けられている。
【００２９】
略同様の関係で、背面外側生地１７は、背面凹部１６の周縁に対して、面ファスナーによって剥離及び再密着可能となっている。具体的には、背面凹部１６を含む領域の左方、右方、下方の３つの縁部に対応するように剥離及び再密着可能な面ファスナーが設けられている。
【００３０】
次に、本実施の形態の組立式ソファ１００の組立作業について説明する。
【００３１】
通常は、各パーツ１０、２０、３０、４０が互いに分解された状態で、ソファ設置領域まで搬送されてくる。そして、各パーツ１０、２０、３０、４０が梱包材から取り出されると、各パーツ１０、２０、３０、４０は組立後の姿勢で自立可能であるため、そのような組立後の自立姿勢で仮置きされる。
【００３２】
その後、各パーツ１０、２０、３０、４０は、必要に応じて床面に対して摺らせて移動され、所定のソファ設置位置に位置決めされる。
【００３３】
次に、背面パーツ１０の背面外側生地１７が剥離され、組立式ソファ１００の付属部品である背面ボルト１５ａ、１５ｂ、１５ｃ、１５ｄによって、背面ボルト貫通孔１２ａ、１２ｂ、１２ｃ、１２ｄ及び背面ボルト孔２１ａ、２１ｂ、２１ｃ、２１ｄを介して、背面パーツ１０と座面パーツ２０とが堅固に連結される。この時、背面ボルト１５ａ、１５ｂ、１５ｃ、１５ｄの頭部は、背面凹部１６に収められる。その後、背面パーツ１０の背面外側生地１７が再密着されることにより、背面ボルト１５ａ、１５ｂ、１５ｃ、１５ｄは外部から見えない状態となる。
【００３４】
次に、左肘掛パーツ３０の左外側生地３７が剥離され、組立式ソファ１００の付属部品である左ボルト３５ａ、３５ｂ、３５ｃ、及び、第２左ボルト３８ａ、３８ｂによって、左ボルト貫通孔３２ａ、３２ｂ、３２ｃ、及び、第２左ボルト貫通孔３１ａ、３１ｂ、並びに、左ボルト孔２３ａ、２３ｂ、２３ｃ、及び、第２左ボルト孔１３ａ、１３ｂを介して、背面パーツ１０と座面パーツ２０と左肘掛パーツ３０とが堅固に連結される。この時、左ボルト３５ａ、３５ｂ、３５ｃ、及び、第２左ボルト３８ａ、３８ｂの頭部は、下方左凹部３６ないし上方左凹部３９に収められる。その後、左肘掛パーツ３０の左外側生地３７が再密着されることにより、左ボルト３５ａ、３５ｂ、３５ｃ、及び、第２左ボルト３８ａ、３８ｂは外部から見えない状態となる。
【００３５】
同様に、対称的に、右肘掛パーツ４０の右外側生地４７が剥離され、組立式ソファ１００の付属部品である右ボルト４５ａ、４５ｂ、４５ｃ、及び、第２右ボルト４８ａ、４８ｂによって、右ボルト貫通孔４２ａ、４２ｂ、４２ｃ、及び、第２右ボルト貫通孔４１ａ、４１ｂ、並びに、右ボルト孔２４ａ、２４ｂ、２４ｃ、及び、第２右ボルト孔１４ａ、１４ｂを介して、背面パーツ１０と座面パーツ２０と右肘掛パーツ４０とが堅固に連結される。この時、右ボルト４５ａ、４５ｂ、４５ｃ、及び、第２右ボルト４８ａ、４８ｂの頭部は、下方右凹部４７ないし上方右凹部４９に収められる。その後、右肘掛パーツ４０の右外側生地４７が再密着されることにより、右ボルト４５ａ、４５ｂ、４５ｃ、及び、第２右ボルト４８ａ、４８ｂは外部から見えない状態となる。
【００３６】
組立式ソファ１００の組立完成図を、図３に示しておく。
【００３７】
以上の通り、本実施の形態によれば、背面パーツ１０、座面パーツ２０、左肘掛パーツ３０、及び、右肘掛パーツ４０の全てが組立前でも組立後の姿勢で自立可能となっており、且つ、左肘掛パーツ３０の下方左凹部３６及び上方左凹部３９、右肘掛パーツ４０の上方左凹部４６及び上方右凹部４９、及び、背面パーツ１０の背面凹部１６において、各ボルト３５ａ、３５ｂ、３５ｃ、３８ａ、３８ｂ、４５ａ、４５ｂ、４５ｃ、４８ａ、４８ｂ、１５ａ、１５ｂ、１５ｃ、１５ｄによる連結作業が行われる。このため、各パーツ１０、２０、３０、４０を床面に対して摺らせて移動させるだけで、すなわち、各パーツ１０、２０、３０、４０を裏返したり横転させたりする必要無く、ボルトによる連結作業を実現することができる。すなわち、組立式ソファ１００の購入者が高齢者であっても、十分に組立作業を行うことができる。
【００３８】
また、連結作業後の各ボルトの頭部が各外側生地１７、３７、４７の内部の各凹部１６、３６、３９、４６、４９に収められることにより、美観上の問題が生じることもない。さらに、本実施の形態の構成は、コスト面でも十分に実用に耐える。もっとも、更なる美観の向上のためには、若干の更なるコストをかけて、各凹部に黒色の不織布を貼ったり、ユーカリ等の見た目が良くない木材を見た目がより良いパイン材に置換することも好適である。
【００３９】
以上の実施の形態において、ボルトの数やボルトの配置位置、それらに対応するボルト孔、ボルト貫通孔及び凹部の配置態様などは、適宜に変更可能である。本明細書において「ボルト」とは、各種タイプのボルトを含み、当然に蝶ボルトをも含む。また、面ファスナーの代わりに、通常のファスナー（ジッパー）、ホック、スナップ、ボタン、などが採用されてもよい。
【００４０】
また、各パーツ１０、２０、３０、４０の底面は、平坦面である必要は無く、脚やコロ（ローラ）が設けられていてもよい。
【００４１】
なお、本発明は、左肘掛パーツ３０及び右肘掛パーツ４０が無いタイプの組立式ソファにも適用できる。あるいは、本発明は、背面パーツ１０と座面パーツ２０とが予め一体となっていて中央パーツとして提供されるタイプの組立式ソファにも適用できる。
【００４２】
また、本発明は、各パーツが完全に自立可能である場合の他、各パーツが簡便な支持用ジグ（小型の座布団など）の支援によって自立可能である場合にも有効である。更には、極めて軽量なパーツについては、自立可能であるという条件がなくても差し支えない。
【符号の説明】
【００４３】
１００  組立式ソファ
１０  背面パーツ
１２ａ、１２ｂ、１２ｃ、１２ｄ  背面ボルト貫通孔
１３ａ、１３ｂ  第２左ボルト孔
１４ａ、１４ｂ  第２右ボルト孔
１５ａ、１５ｂ、１５ｃ、１５ｄ  背面ボルト
１６  背面凹部
１７  背面生地
２０  座面パーツ
２１ａ、２１ｂ、２１ｃ、２１ｄ  背面ボルト孔
２３ａ、２３ｂ、２３ｃ  左ボルト孔
２４ａ、２４ｂ、２４ｃ  右ボルト孔
３０  左肘掛パーツ
３１ａ、３１ｂ  第２左ボルト貫通孔
３２ａ、３２ｂ、３２ｃ  左ボルト貫通孔
３５ａ、３５ｂ、３５ｃ  左ボルト
３６  下方左凹部
３７  左外側生地
３８ａ、３８ｂ  第２左ボルト
３９  上方左凹部
４０  右肘掛パーツ
４１ａ、４１ｂ  第２右ボルト貫通孔
４２ａ、４２ｂ、４２ｃ  右ボルト貫通孔
４５ａ、４５ｂ、４５ｃ  右ボルト
４６  下方右凹部
４７  右外側生地
４８ａ、４８ｂ  第２右ボルト
４９  上方右凹部
４７  右外側生地
５０、６０  クッション
【図１】
2015536202.tif 000003
【図２】
2015536202.tif 000004
【図３】
2015536202.tif 000005
【国際調査報告】
2015536202.tif 000006
2015536202.tif 000007
2015536202.tif 000008
2015536202.tif 000009
2015536202.tif 000010
2015536202.tif 000011